(57)【要約】【課題】単眼鏡の小型軽量という特徴を維持したままで、単眼鏡の観察時に両眼を開いたままで観察できる機構を提示する。【解決手段】接眼レンズ部と対物レンズ部を有する単眼鏡で、接眼レンズ部を直接覗かない他方の眼の視野を遮る遮蔽部材を備え、接眼レンズ部を直接覗いていない他方の眼の視野を遮る構造を有することで両眼視を可能とする単眼鏡を特徴とし、また、接眼レンズを直接覗かない方の眼の視野を遮る遮蔽部材は単眼鏡の接眼レンズを保護するレンズカバーで構成し、前記レンズカバーは接眼レンズ部の横方向に退避する構造を有することで接眼レンズ部を直接覗いていない他方の眼の視野を遮る構造を有する両眼視を可能とする単眼鏡。【選択図】図３
2017040853.tif 000002
【特許請求の範囲】
【請求項１】
鏡筒部で保持された対物レンズ部と接眼レンズ部とで構成された鏡体を有し一方の眼で対象物を観察する単眼鏡であって前記接眼レンズ部に隣接して他方の眼の前方視野を遮る遮眼部材を備えていることを特徴とする単眼鏡。
【請求項２】
前記遮眼部材は前記他方の眼の前方視野を遮る遮眼位置と折りたたんで前記鏡体と一体化される折りたたみ位置をとり得ることを特徴とする特許請求の範囲第１項記載の単眼鏡。
【請求項３】
前記遮眼部材は前記折りたたみ位置において前記接眼レンズ部に着脱自在に構成され接眼レンズ保護部材として作用することを特徴とする特許請求の範囲第２項記載の単眼鏡。
【発明の詳細な説明】
【技術分野】
【０００１】
この発明は、片方の眼で対象物を観察する単眼鏡であって、小型軽量であり観察に与らない他方の眼を開けたままで観察可能な単眼鏡に関する。
【背景技術】
【０００２】
遠くの観察対象物を観察するために単眼鏡や双眼鏡等が用いられる。一般に単眼鏡の光学系は双眼鏡の一対の光学系の一つと同様なものが用いられているので、基本的に単眼鏡で観察される光学像は双眼鏡で観察される光学像と同等な性能を持つが、単眼鏡は単一の対物レンズと接眼レンズで構成されるので双眼鏡に比べ小型軽量である特徴を有する。しかし単眼鏡を使用する場合には、一般に片方の眼で単眼鏡を覗きこんで対象物を観察し、単眼鏡を覗きこまない他方の眼は閉じた状態、即ち単眼視で使用されるので、長時間の観察では眼を閉じることによる疲労を感じるので双眼鏡ほど広く用いられていない。
【０００３】
これまでは、上記単眼視に伴う疲労を避ける手段として、特許文献１などに単眼鏡を両眼で覗けるように接眼レンズ部のみを双眼構造とする光学装置（疑似双眼鏡）が提案されている。
【０００４】
また、接眼レンズ部のみを双眼構造とした単眼鏡（疑似双眼鏡）は、顕微鏡等でも広く用いられている。
【０００５】
単眼鏡の接眼レンズ部を双眼構造にした単眼鏡（疑似双眼鏡）は、長時間観察しても疲労を感じることが少ないという長所を持つが、形状が大きく重量も増加するので小型軽量という単眼鏡の最大の特徴が失われる。
【先行技術文献】
【特許文献】
【０００６】
【特許文献１】特開平９−15509号公報
【発明の概要】
【発明が解決しようとする課題】
【０００７】
この発明の課題は、単眼鏡の小型軽量という特徴を維持したままで、単眼鏡の観察時に両眼を開いたままで観察できる単眼鏡を提示する。
【課題を解決するための手段】
【０００８】
鏡筒部で保持された対物レンズ部と接眼レンズ部とで構成された鏡体を有し一方の眼で対象物を観察する単眼鏡であって前記接眼レンズ部に隣接して他方の眼の前方視野を遮る遮眼部材を備えている単眼鏡を特徴とする。
【０００９】
また、単眼鏡を直接覗かない他方の眼の前方の視野を遮る遮眼部材は他方の眼の前方視
野を遮る遮眼位置と折りたたんで前記鏡体と一体化される折りたたみ位置をとり得ることを特徴とする。
【００１０】
また、単眼鏡を直接覗かない他方の眼の前方の視野を遮る遮眼部材は前記折りたたみ位置において前記接眼レンズ部に着脱自在に構成され接眼レンズ保護部材として作用することを特徴とする。
【００１１】
さらに、前記遮眼部材は、前記折りたたみ位置において前記鏡筒部の一部分を成すように構成されていることを特徴とする。
【発明の効果】
【００１２】
以下で説明するように、直接単眼鏡を覗かない他方の眼の前方の視野を遮る遮眼部材を簡単な部品で構成するので、本発明の単眼鏡自体の形状も通常の単眼鏡の形状とほぼ同じ大きさであり、コストもあまり増大せずに長時間の観察に供しても使用者が眼の疲労を感じることが極めて少ない単眼鏡を容易に構成することができるので、単眼鏡のみでなく単眼顕微鏡等にも利用できその効果は大きい。
【図面の簡単な説明】
【００１３】
【図１】図１は、単眼鏡を用いて遠方の観察対象物を観察している状態を模式的に示す概略斜視図。
【図２】図２（A）は、本発明の単眼鏡の一実際例で、単眼鏡を直接覗かない他方の眼の前方の視野を遮る遮眼部材を備えた単眼鏡の概略斜視図。図２（B）は、図２（A）に示した遮眼部材を、単眼鏡を直接覗かない他方の眼の前方の視野を遮る遮眼位置に展開した状態を示す概略斜視図。
【図３】図３は図２の実施例で、図２（B）に示した視野を遮蔽する部材を展開し、直接覗かない他方の眼の前方の視野を遮る単眼鏡の両眼視による使用時の状態を示す概略斜視図。
【図４】図４本発明の第二の実施例示すものであり、直接単眼鏡を覗かない他方の眼の前方視野を遮る遮眼部材が折りたたみ位置において接眼レンズ部に着脱自在に構成され、接眼レンズ部に装着した状態において接眼レンズ保護部材として作用するように構成された単眼鏡を示し、図４（Ａ）は遮眼部材を折りたたみ位置にして接眼レンズ部に装着して接眼レンズ部を保護する保護カバーとして機能させた状態を示し、図４（Ｂ）は使用時に遮眼部材を接眼レンズの隣接位置に展開して単眼鏡を直接覗かない他方の眼の前方の視野を遮る遮眼状態を示す。
【図５】図５は図４（Ｂ）に示した遮眼部材を展開し他方の眼の前方の視野を遮蔽した両眼視により単眼鏡の使用時の状態を示す概略斜視図。
【図６】図６は図５で示したレンズカバーを用いた遮眼部材を単眼鏡の接眼レンズ部より着脱可能にした状態を示す説明図。
【発明を実施するための形態】
【００１４】
以下で説明するように、直接覗かない方の眼の視野を遮る遮眼部材を簡単な部品で構成するので、形状も通常の単眼鏡とほぼ同じ大きさで、コストもあまり拡大せずに長時間観察に供して使用者が眼の疲労を感じることが極めて少ない単眼鏡を容易に構成することができる。
【００１５】
以下、図面を参照して本発明を実施する単眼鏡の実施例を説明する。図１に示されているように、通常単眼鏡１０は鏡体１３の両端に対物レンズ部１２と接眼レンズ部１１を備えており、さらに鏡体１３の内部には図示せぬ正立プリズムを備えている。単眼鏡１０を使用して被観察対象物を観察する場合には、片方の眼で図１に示すように単眼鏡１０の接眼レンズ部１１を覗きこみ、単眼鏡を直接覗かない他方の眼２１は閉じるのが一般的である。
【００１６】
図１では右眼で単眼鏡１０の接眼レンズ部１１を覗き、観察中左目２１は閉じて観察している様子を示す。単眼鏡鏡１０を覗きこまないほうの眼(左眼２１)は閉じた状態、即ち単眼視で使用されるので、長時間の観察では眼を閉じ続けることによる疲労を感じる。
【００１７】
図２に本発明による単眼鏡の第一の実施例を示す。図２（Ａ）に示すように、本発明の単眼鏡１０は鏡体１３の前後端に対物レンズ部１２と接眼レンズ部１１を備えており、さらに鏡体１３の内部には図示せぬ正立プリズムを備えている。単眼鏡１０にはさらに遮眼部材１４が設けられている。この遮眼部材１４は連結部材１５で鏡体に連結されており、該連結部材１５は、遮眼部材１４が図２（Ａ）に示される折りたたみ位置と図２（Ｂ）に示される展開位置（１４’で示す）とを取り得るように遮眼部材１４を可動的に鏡体に連結する構造をもっている。この連結部材は従来周知のいかなる構造をも採用することができる。
【００１８】
図２（Ａ）に示される折りたたみ位置において遮眼部材１４は鏡体１３の一部分を構成しており、外形的に鏡筒部を補完している。そして図２（B）に示される展開位置において一方の眼（右眼）２０は単眼鏡１０の接眼レンズ部１１を覗きこみ、遮眼部材１４’は鏡体１３に隣接する位置に在り、単眼鏡１０の接眼レンズ部１１を覗かない他方の眼(左眼)２１の前方の視野を遮ることができる遮眼位置をとる。遮眼部材１４を遮眼位置（１４’）まで十分に展開した状態では図３に示すように両眼を開けたままで一方の眼を鏡体１３の接眼レンズ部１１に当てると他方の眼は遮眼部材１４’でその前方の視野が遮られるので、他方の眼に疲労を感じることなく双眼鏡と同等な性能の光学像を観察することが出来る。
【００１９】
この遮蔽部材１４は図２（B）に示すように接眼レンズ１１の方向に倒し１４’とすることで単眼鏡装置１０を覗きこまないほうの眼(左眼２１)の前方の視野を図３で示すように遮蔽する。
【００２０】
図４に本発明による単眼鏡の第２の実施例を示す。単眼鏡の基本構成は図１の場合と同じなので、類似する各部に関しては同じ符号を付しその説明を省略する。図４の構成では、接眼レンズの表面を保護するレンズキャップ１６（斜線で示す）を有しており、このレンズキャップ１６は接眼レンズ部１１より横方向に移動退避させることで遮眼部材１６’の機能を持たせており、鏡体１３とは連結部材１７で接続されている。
【００２１】
このレンズキャップ１６は、保管時のように使用していないときは図４（A）のように接眼レンズの外面を保護するが、観察時には図４（B）のように連結部材１７を介して、横方向に退避させレンズキャップ１６‘の位置とすることで、単眼鏡装置１０を覗きこまないほうの眼(左眼)の視野を図５で示すように遮蔽する。
【００２２】
上記連結部材１７は材質としてゴム、または可撓制を持ったプラスチック等で構成することができ、特殊な連結機構を付加することを要しない。
【００２３】
また、図６は接眼レンズを保護するレンズキャップ１６を遮眼部材１６’として用いる変形例であり、単眼鏡の鏡体１０に対して着脱自在に構成した例を示す。レンズキャップ１６の保持枠１８を単眼鏡１０の鏡体１３または接眼レンズ部１１に嵌着可能な構造として、目的に応じて単眼鏡１０に着脱可能とすることで、利用効果を高めることが可能である。
【符号の説明】
【００２４】
１０  単眼鏡
１１  接眼レンズ部
１２  対物レンズ部
１３  鏡体
１４、１４’  遮蔽部材
１６、１６’  レンズカバー
１５，１７  連結部材
【図１】
2017040853.tif 000003
【図２】
2017040853.tif 000004
【図３】
2017040853.tif 000005
【図４】
2017040853.tif 000006
【図５】
2017040853.tif 000007
【図６】
2017040853.tif 000008